(57)【要約】【課題】薄型カードタイプとすることで携帯性の向上したコインケースとなり、また、ワンタッチで簡単に一つ一つのコインを取り出せるようにする。【解決手段】偏平ケース体１より成り、上方にコイン投入口１ａ、下方にコイン取出口１ｂをそれぞれ有し、内部にコインＰの板厚より若干幅広のコイン通路（２、３）が、該コイン通路（２、３）を、弾性力を有する板材から成るコインガイド（２ａ、２ｂ、３ａ）を以って形成されたコインストッカーにおいて、コイン取出口１ｂ上方にコインＰを保持し、スライドボタン５のスライド操作によりコインＰを排出させる開閉可能なコイン受け６を備える。【選択図】図５
2008029657.tif 000002
【特許請求の範囲】
【請求項１】
偏平ケース体より成り、上方にコイン投入口、下方にコイン取出口をそれぞれ有し、内部にコインの板厚より若干幅広のコイン通路が、弾性力を有する板材から成るコインガイドを以って形成されたコインストッカーにおいて、コイン取出口上方にコインを保持し、スライドボタンのスライド操作によりコインを排出させる開閉可能なコイン受けを備えて成ることを特徴とするコインストッカー。
【請求項２】
コイン受けは、スライドボタンのスライド操作により開放されて最下側コインをコイン取出口から排出させると同時に、当該コイン受け内側に備えた係止部によって、次のコインを係止させると共に、該係止部は、開放されているコイン受けの閉塞により、次のコインの係止を解除させるものとした請求項１記載のコインストッカー。
【請求項３】
偏平ケース体内には、紫外線ランプ（ＬＥＤ）によるコイン殺菌器を備えている請求項１または２記載のコインストッカー。
【発明の詳細な説明】
【技術分野】
【０００１】
本発明は、複数のコインを収納して携帯可能とした薄型カードタイプのコインストッカーに関する
【背景技術】
【０００２】
従来では様々なタイプのコインケースが提案されている。
例えば、特許文献１に開示されているように、細長箱状のケースを仕切板により前側と後側の空間部を形成し、且つ前後それぞれの空間部を側壁によって複数組の収納部とし、前側および後側の各収納部にコインを重合状に収納自在として成るコインケースがある。
【０００３】
また、特許文献２に開示されているように、同種のコインをバネ力に抗して厚み方向に重ね合わせて収納するための円筒形空間部がその軸を横方向にして複数個並設され、手動操作によりコインを一枚づつ放出ゲートから放出させるバイク車両取付型のコインケースがある。
【０００４】
また、特許文献３に開示されているように、複数枚のコインを略コ字枠状のカバー内に収納させ、カバー内でコインの片側は保持穴で係合保持され、コインの反対側はバネ作動部で単独で押えられ、上側開口部から一枚のコインを軽く親指で押えてカバーからスライドさせて取り出す１円玉用のコインケースがある。
【０００５】
また、特許文献４に開示されているように、円形端面板の周縁から、先端に係止部を有する円弧板片状の挟持片を対向突出させ、円形端面板の挟持片間に係止受部を形成して成るコイン収納可能とした同構造一対の構成体を形成し、一方の構成体の挟持片を他方の構成体の円形端面板の係止受部に係止させることで両構成体を噛合して成るコインケースがある。
【特許文献１】特開平８−１００２１号公報
【特許文献２】特開平９−２９４６１７号公報
【特許文献３】特開２００２−７８５１８号公報
【特許文献４】実開平６−６５９７３号公報
【発明の開示】
【発明が解決しようとする課題】
【０００６】
しかしながら、これら従来例によると、コインケース自体が袋状タイプ、筒状タイプ、箱状タイプのものが殆どであって、薄型で携帯性のあるカードタイプのものは存在しない。
【０００７】
しかも、従来のコインケースは、コインの一部分が露出しているが、これに対し、コインを完全に隠蔽させることでコインケースであるものとは認知し難いものとし、一見カードのようにしか理解できないようにしたコインケースは従来には無かった。
【０００８】
そこで、本発明は、叙上のような従来存した諸事情に鑑み案出されたもので、一般のクレジットカードやテレホンカード等のような薄型カードタイプとすることで携帯性の向上したコインケースとすることができ、しかもワンタッチで簡単に一つ一つのコインを取り出せるようにしたコインケースを提供することを目的とする
【課題を解決するための手段】
【０００９】
上述した課題を解決するため、本発明にあっては、偏平ケース体より成り、上方にコイン投入口、下方にコイン取出口をそれぞれ有し、内部にコインの板厚より若干幅広のコイン通路が、弾性力を有する板材から成るコインガイドを以って形成されたコインストッカーにおいて、コイン取出口上方にコインを保持し、スライドボタンのスライド操作によりコインを排出させる開閉可能なコイン受けを備えて成ることを特徴とする。
【００１０】
コイン受けは、スライドボタンのスライド操作により開放されて最下側コインをコイン取出口から排出させると同時に、当該コイン受け内側に備えた係止部によって、次のコインを係止させると共に、該係止部は、開放されているコイン受けの閉塞により、次のコインの係止を解除させるものとすることができる。
【００１１】
偏平ケース体内には、紫外線ランプ（ＬＥＤ）によるコイン殺菌器を備えているものとすることができる。
【発明の効果】
【００１２】
本発明によれば、一般のクレジットカードやテレホンカード等のような薄型カードタイプとすることで携帯性の向上したコインケースとすることができ、またワンタッチで簡単に一つ一つのコインを取り出すことができる。
【００１３】
また、コイン受けは、スライドボタンのスライド操作により開放されて最下側コインをコイン取出口から排出させると同時に、当該コイン受け内側に備えた係止部によって、次のコインを係止させると共に、該係止部は、開放されているコイン受けの閉塞により、次のコインの係止を解除させることができるので、一つずつのコインを確実に取り出すことができる。
【００１４】
さらに、偏平ケース体内には、紫外線ランプ（ＬＥＤ）によるコイン殺菌器を備えているものとすることができるので、紫外線ランプ（ＬＥＤ）からの紫外線の照射により、偏平ケース体内部に収容されているコインを自動的に殺菌することができる。
【発明を実施するための最良の形態】
【００１５】
以下、図面を参照して本発明を実施するための最良の一形態を説明する。
図において示される符号１は、例えば、横幅員が５３．９ｃｍ、縦幅員が８５．５ｃｍという一般的な標準カードサイズによる薄型カードタイプに形成された、例えば合成樹脂製または金属製等の偏平ケース体である。
【００１６】
この偏平ケース体１は、図１に示すように、コイン投入口１ａに通じるコインガイドとして、例えば、一つの直線状ガイド２ａと二つの円弧状ガイド２ｂとを備えた第１コイン通路２と、コイン取出口１ｂに通じるコインガイドとして、例えば、三つの円弧状ガイド３ａを備えた第２コイン通路３とが当該偏平ケース体１内の幅方向に略蛇行状となって形成されている。しかも、これら両コイン通路２、３は、コインＰの板厚より若干幅広となって形成され、さらに、コインガイド自体は、弾性力を有する板材にて形成されている。
【００１７】
尚、図１および図４に示すように、これら両コイン通路２、３内の一方の内壁面には、通過するコインＰとの摩擦を減らすための複数本の縦長な突条１ｃを突設してある。
【００１８】
また、図１および図２に示すように、コイン投入口１ａの左右縁端の対向位置には、投入されたコインＰが逆戻りしてコイン投入口１ａから抜脱されないようにバネ性を備えた一対の舌片状の戻り止め片４ａ、４ｂをコイン投入口１ａ内側に向けて突出形成してある。
【００１９】
一方、コイン取出口１ｂには、該コイン取出口１ｂ上方にコインＰを保持し、スライドボタン５のスライド操作によりコインＰを排出させる開閉可能なコイン受け６を備えている。
【００２０】
すなわち、スライドボタン５は、図１および図３に示すように、偏平ケース体１内におけるコイン取出口１ｂに隣接する箇所に横長なスペースを設け、このスペース内にスライドボタン５の横長基部５ａがバネ７を介してコイン取出口１ｂ側に向けて付勢されている。このスライドボタン５は、矩形板状の横長基部５ａから連結部５ｂを介して略Ｔ字状に突出されている。横長基部５ａは、偏平ケース体１に形成された横長孔５ｃに挿通されると共に、連結部５ｂは、横長孔５ｃ上方の偏平ケース体１に開口したガイド孔１ｄに擢動自在に嵌合されている。
【００２１】
こうしてスライドボタン５は、後述するように、コイン受けに係止して開放が阻止される位置とコイン受けの係止を解除して開放を許容する位置の間を移動するものとなっている。尚、スライドボタン５の上面には、滑り止め５ｄが刻設されると共に、横長基部５ａの先端には、コイン受けの後端に係合する弧状部５ｅが切設されている。
【００２２】
また、コイン受け６は、略Ｌ字枠状に形成され、そのＬ字屈曲角部分を支持軸６ａを介してコイン取出口１ｂの内側隅所に枢着することで、コイン取出口１ｂを開閉させるようにしてある。したがって、スライドボタン５のスライド操作によりコイン取出口１ｂが開放されて最下側にあるコインＰをコイン取出口１ｂから排出させる。
【００２３】
また、図１または図５および図６に示すように、コイン受け６の先端には、小突起状のコイン保持部６ｂを設け、末端の支持軸６ａ側には、最下側のコインＰをコイン取出口１ｂから排出させた直後に次のコインＰを係止させるための係止部６ｃと、前記スライドボタン５の横長基部５ａの先端に設けられた下側の弧状部５ｅに係止させるためのストッパー突起部６ｄを形成してある。そして、ストッパー突起部６ｄと偏平ケース体１の内底面との間にバネ８を介挿させてある。
【００２４】
したがって、図５に示すように、コイン受け６のストッパー突起部６ｄ（実際はストッパー突起部６ｄの先端に突設された小突起）がスライドボタン５の横長基部５ａ下側の弧状部５ｅに係止されてコイン取出口１ｂの開放が阻止されている状態から、図６に示すように、スライドボタン５を前記バネ７に抗してスライド退避させることで、ストッパー突起部６ｄの係止が解除され、バネ８の付勢力によってコイン受け６が支持軸６ａを支点として下方（反時計方向）に回動してコイン取出口１ｂが開放される。このとき、最下側のコインＰはコイン取出口１ｂから排出され、この直後に次のコインＰは係止部６ｃにより係止される。これによってコイン取出口３ａからコインＰを一枚ずつ取り出せるものとなる。
【００２５】
また、図１、図５、図６に示すように、偏平ケース体１内の例えば第２コイン通路３側の円弧状ガイド３ａには、紫外線ランプ（ＬＥＤ）によるコイン殺菌器９を備えている。このコイン殺菌器９による紫外線ランプ（ＬＥＤ）からの紫外線の照射により、偏平ケース体１内部に収容されているコインＰを自動的に殺菌する。
【００２６】
次に、以上のように構成された最良の形態についての使用、動作の一例について説明する。
図５に示すように、偏平ケース体１のコイン投入口１ａから、例えば１００円玉６枚のコインＰを順次投入すると、第１コイン通路２からコイン取出口３ａに通じる第２コイン通路３まで上下方向にコインＰが挿入される。
【００２７】
このときコイン受け６は、図７（イ）に示すように、ストッパー突起部６ｄがスライドボタン５の横長基部５ａ下側弧状部５ｅに係止されてコイン取出口１ｂの開放が阻止されている状態であるため、スライドボタン５をスライド退避させない限り、最下側に位置するコインＰはコイン受け６によって係止されたままである。こうして、偏平ケース体１自体を普通の手帳やカードと同じようにして携帯される。
【００２８】
コインＰを取り出す際には、図７（ロ）に示すように、スライドボタン５をバネ７に抗してスライド退避させることで、当該スライドボタン５の横長基部５ａ先端に設けられた弧状部５ｅに対するストッパー突起部６ｄの係止が解除され、バネ８の付勢力によってコイン受け６が支持軸６ａを支点として下方（反時計方向）に回動してコイン取出口１ｂが開放される。これによって、図７（ハ）に示すように、最下側のコインＰはコイン取出口１ｂから排出され、これと同時に次のコインＰは係止部６ｃにより係止される。したがって、コイン取出口３ａからコインＰを一枚ずつ取り出せるものとなる。
【００２９】
因みに、このときは図７（ロ）に示すコインＰを指先に摘んで下方へ引っ張る。これによって、弾力性を以って偏平ケース体１に保持されているコイン受け６が若干拡がるためコインＰは容易に取り出せる。そして、コインＰの取り出し後、コイン受け６は元の位置に復帰するため、図７（ロ）に示すように、次のコインＰはコイン受け６に係止される。
【００３０】
こうして一般のクレジットカードやテレホンカード等のように携帯性が向上し、ワンタッチで簡単に一つ一つのコインＰを取り出すことができるのである。
【図面の簡単な説明】
【００３１】
【図１】本発明を実施するための最良の形態におけるコインストッカーの内部構成を波線によって表した状態の正面図である。
【図２】同じくコインストッカーの平面図である。
【図３】同じくコインストッカーの底面図である。
【図４】図１中のＡ−Ａ断面図である。
【図５】コイントッカーにコインを投入し収容した状態を正面から見た断面図である。
【図６】コイントッカーからコインを取り出す状態を正面から見た断面図である。
【図７】コイントッカーからコインを取り出す手順を示すもので、（イ）はコイン取出口を開放する前の状態を示す一部切欠断面図、（ロ）はコイン取出口を開放した直後の状態を示す一部切欠断面図、（ハ）はコイン取出口からコインを取り出した状態を示す一部切欠断面図である。
【符号の説明】
【００３２】
Ｐ          コイン
１          偏平ケース体
１ａ        コイン投入口
１ｂ        コイン取出口
１ｃ        突条
１ｄ        ガイド孔
２          第１コイン通路
２ａ        直線状ガイド
２ｂ        円弧状ガイド
３          第２コイン通路
３ａ        円弧状ガイド
４ａ、４ｂ  戻り止め片
５          スライドボタン
５ａ        横長基部
５ｂ        連結部
５ｃ        横長孔
５ｄ        滑り止め
５ｅ        弧状部
６          コイン受け
６ａ        支持軸
６ｂ        コイン保持部
６ｃ        係止部
６ｄ        ストッパー突起部
７、８      バネ
９          コイン殺菌器
【図１】
2008029657.tif 000003
【図２】
2008029657.tif 000004
【図３】
2008029657.tif 000005
【図４】
2008029657.tif 000006
【図５】
2008029657.tif 000007
【図６】
2008029657.tif 000008
【図７】
2008029657.tif 000009